(57)【要約】【課題】送受信素子の一部が故障した場合であっても正確なデータを転送することのできる表示モジュール及びデータ転送方法を提供する【解決手段】表示データを光信号の形式で入力される信号受信部３を備えており、信号受信部３は、光信号を受信する複数の受信素子を備えており、信号受信部３は、光信号に対応する信号値を駆動回路１に入力し、駆動回路１は、受信素子の配置に対する信号値の配列に基づいて電圧信号を生成し、信号値の配列のそれぞれは、信号値の組合わせにより表される全ての配列のうちの、一部の配列として表される。【選択図】図２
2013222988.tif 000002
【特許請求の範囲】
【請求項１】
外部から入力される表示データに基づいて、表示画像を制御するための電圧信号を生成する駆動回路を備える表示モジュールであって、
上記表示データを光信号の形式で入力される信号受信部を備えており、
上記信号受信部は、上記光信号を受信する複数の受信素子を備えており、
上記信号受信部は、上記光信号に対応する信号値を上記駆動回路に入力し、
上記駆動回路は、上記受信素子の配置に対する、上記信号値の配列に基づいて上記電圧信号を生成し、
上記信号値の配列は、上記信号値の組合わせにより表される全ての配列のうちの、一部の配列として表されることを特徴とする表示モジュール。
【請求項２】
上記信号値の配列のそれぞれは、互いに巡回シフトさせた配列として表されることを特徴とする請求項１に記載の表示モジュール。
【請求項３】
上記信号値の配列において、互いに同一な信号である第１信号の数は、上記第１信号とは異なる信号であって、互いに同一な信号である第２信号の数と等しいことを特徴とする請求項１または２に記載の表示モジュール。
【請求項４】
上記信号値の配列おいて、上記受信素子の配置に対して連続する互いに同一な信号の数は、１および素数からなる群より選択される数であることを特徴とする請求項１〜３の何れか１項に記載の表示モジュール。
【請求項５】
上記選択される数は、互いに異なることを特徴とする請求項４に記載の表示モジュール。
【請求項６】
上記受信素子は複数のグループに分割され、
上記駆動回路は、上記グループのそれぞれにおける上記信号値の配列に基づいて上記電圧信号を生成することを特徴とする請求項１〜５の何れか１項に記載の表示モジュール。
【請求項７】
上記光信号はデジタル信号であることを特徴とする請求項１〜６の何れか１項に記載の表示モジュール。
【請求項８】
上記受信素子に対向して設けられ、上記受信素子に対して上記光信号を送信する送信素子と、上記受信素子との間において、検査信号の送受信を試みることで、上記光信号を正常に送受信することができない故障素子を検出する故障素子位置検出部を有しており、
上記駆動回路は、上記受信素子のうち、上記故障素子に含まれない受信素子が受信する光信号に対応する信号値の配列に基づいて、上記電圧信号を生成することを特徴とする請求項１〜７の何れか１項に記載の表示モジュール。
【請求項９】
上記駆動回路は、上記受信素子が上記光信号を読み取るタイミングを制御するタイミング信号を出力することを特徴とする請求項１〜７の何れか１項に記載の表示モジュール。
【請求項１０】
上記信号受信部は、上記駆動回路に配されていることを備えていることを特徴とする請求項１〜９の何れか１項に記載の表示モジュール。
【請求項１１】
上記受信素子は、フォトトランジスタであることを特徴とする請求項１〜１０の何れか１項に記載の表示モジュール。
【請求項１２】
外部から非接触で電力を受け取るための電力受信部をさらに備えていることを特徴とする請求項１〜１１の何れか１項に記載の表示モジュール。
【請求項１３】
光信号を送信する複数の送信素子を備える信号送信部から、上記光信号を受信する複数の受信素子を備える信号受信部へデータを転送するデータ転送方法であって、
上記信号受信部は、上記光信号に対応する信号値を読み取り、
上記データは、上記受信素子の配置に対する上記信号値の配列に基づいており、
上記信号値の配列は、上記信号値の組合わせにより表される全ての配列のうちの、一部の配列として表されることを特徴とするデータ転送方法。
【請求項１４】
上記信号値の配列のそれぞれは、互いに巡回シフトさせた配列として表されることを特徴とする請求項１３に記載のデータ転送方法。
【請求項１５】
上記信号値の配列において、互いに同一な信号である第１信号の数は、上記第１信号とは異なる信号であって、互いに同一な信号である第２信号の数と等しいことを特徴とする請求項１３または１４に記載のデータ転送方法。
【請求項１６】
上記信号値の配列において、上記受信素子の配置に対して連続する互いに同一な信号の数は、１および素数からなる群より選択される数であることを特徴とする請求項１３〜１５の何れか１項に記載のデータ転送方法。
【請求項１７】
上記選択される数は、互いに異なることを特徴とする請求項１６に記載のデータ転送方法。
【請求項１８】
上記受信素子を複数のグループに分割し、
上記データは、上記グループのそれぞれにおける上記信号値の配列に基づいていることを特徴とする請求項１３〜１７の何れか１項に記載のデータ転送方法。
【請求項１９】
上記光信号はデジタル信号であることを特徴とする請求項１３〜１８の何れか１項に記載のデータ転送方法。
【請求項２０】
上記送信素子と、上記受信素子との間において、検査信号の送受信を試みることで、上記光信号を正常に送受信することができない故障素子を検出し、
上記データは、上記受信素子のうち、上記故障素子に含まれない受信素子が受信する光信号に対応する信号値の配列に基づいていることを特徴とする請求項１３〜１９の何れか１項に記載のデータ転送方法。
【請求項２１】
上記信号受信部に上記光信号を読み取るタイミングを制御するタイミング信号を入力することを特徴とする請求項１３〜２０の何れか１項に記載のデータ転送方法。
【請求項２２】
上記信号受信部は、上記信号送信部が備える送信素子の数よりも多い数の受信素子を備えており、
上記送信素子のうちの１つが送信する上記光信号を、複数の受信素子が受信することを特徴とする請求項１３〜２１の何れか１項に記載のデータ転送方法。
【請求項２３】
上記受信素子はフォトトランジスタであって、上記送信素子はフォトダイオードであることを特徴とする請求項１３〜２２の何れか１項に記載のデータ転送方法。
【発明の詳細な説明】
【技術分野】
【０００１】
本発明は表示モジュール及びデータ転送方法に関する。
【背景技術】
【０００２】
一般的なアクティブ・マトリクス駆動方式の表示装置において、表示画像のデータ（表示データ）は、ＦＰＣ（フレキシブルプリント基板）を介して制御本体から電気信号として入力される。
【０００３】
例えば、アクティブ・マトリクス駆動方式の液晶表示装置では、表示データの制御本体からＦＰＣに入力される電気信号に基づいて、アクティブ素子としてのＴＦＴ（薄膜トランジスタ）のゲートＯＮのタイミング信号（ゲート信号）と、各画素に書き込むデータ信号（ソース信号）を生成し、上記信号に基づいて液晶層に電圧を印加する。また、表示装置の駆動電力は、外部からＦＰＣを介して伝送される。
【０００４】
液晶層に印加する電圧を制御することでバックライトからの光の透過光量を制御し、さらにカラーフィルタで各色の光の透過を制限することで、２次元の色と輝度から画像を表示する。
【０００５】
図１５は、従来の液晶モジュール５００の平面図であり、図１６は従来の液晶モジュール５００の一部の断面図である。図１５に示すように、液晶モジュール５００は、液晶パネル５０５、駆動用ＩＣ５０１、複数のＦＰＣパット５０３を備えている。また、図１６に示すように、ＦＰＣパット５０３から駆動用ＩＣ５０１へのデータの転送は、異方性導電材５０８と配線とを介して行なわれる。
【０００６】
近年、液晶パネルの大型化に伴い、画素（絵素）数も増加している。画素数が増加することにより信号線の本数も増加するため、信号処理の高速化が求められる。
【０００７】
さらに、動画表示のなめらかさの追求、高速動画の表示の要求（例えば、レーシングゲームの背景の切り替え等）もあり、１秒間の画面書き換え枚数が増大している（例えば、毎秒６０フレーム、テレビジョン映像においては毎秒１８０フレーム）。これらを要因として、信号線の本数増加と信号処理の高速化への要求が高まっている。
【０００８】
信号線の本数を増加させると、組立時の配置制約が大きくなる、部材面積が増加するためコストアップにつながる、不要輻射ノイズのエネルギーが増大する、などの問題を生じる。
【０００９】
信号処理を高速化すると、送受信能力を向上させる必要があるため、高消費電力となる、信号の高周波化によりノイズが高周波化する、ノイズの高周波化により周辺回路のシールドの追加を必要とする、基準電圧の強化に対する対策を要するなどの問題を生じる。
【００１０】
また、ＦＰＣからの信号線の本数増加、または高速化周波数による信号高速化により、データ数の増大は困難となる。
【００１１】
そこで、制御信号などの表示データを、異方性導電材５０８を用いることなく、光信号として非接触でデータ転送をすることにより、信号線本数の増加および信号処理の高速化に伴って生じるノイズに基づく種々の問題の対策とすることができる。
【００１２】
しかしながら、光送受信センサの位置合わせと、個々の送受信センサの配置制約とにより、多くの送受信センサを設置することができないため、光信号によるデータ転送を用いることのメリットを得難い。
【００１３】
そこで、送信側も受信側もアレータイプの端子を採用することが考えられる。図１７は、表示画像のデータを光信号として伝達する液晶モジュール６００の一部の断面図である。図１７に示すように、信号送信部６１０としてＬＥＤアレーを用い、信号受信部６０３として光センサアレーを用いる。これにより、上述した種々の問題を解決することができる。
【００１４】
しかしながら、アレータイプの端子を採用した場合、新たに以下のような問題を生じる。すなわち、信号送信部を構成する個々の送信素子を、固体差を生じないように均一に製造することは困難である。信号受信部についても同様のことがいえる。そのため、同じデータであっても、ある送信素子を介して転送されたデータと、他の送信素子を介して転送されたデータとでは、送信素子を固体差に影響され、異なるものとして転送されてしまうおそれがある。
【００１５】
特許文献１には、光通信システムにおける非線形効果を補償（事前補正）する方法が開示されている。図１８は、特許文献１に係る光通信システムの動作を表すブロック図である。上記方法によれば、送信機と受信機との間における感度の劣化や、送受信素子間の相対的な位置の変化に基づくデータの変化に対応することができ、正確なデータ転送を行うことができる。
【００１６】
特許文献１に記載される技術によれば転送されるデータを補償することはできるが、一方で、送受信素子の一部が故障した場合には送受信を行なうことができない、という問題がある。
【００１７】
図１９は、フォトダイオードとフォトトランジスタの対のうち１つが故障した場合のデータ転送を示す図である。図１９に示すように、送信素子をフォトダイオードとし、受信素子をフォトトランジスタとした場合、例えば１個のフォトダイオードが故障すると、故障部分は通信できなくなり、送信素子と受信素子との間で光信号の送受信をすることができない。このように、送信素子と受信素子とを１対１として光通信を行い、データ転送を行なう液晶モジュールは、何れかの素子が故障したときに液晶モジュール全体が不良品となってしまう。
【００１８】
図２０は、送信素子の数と受信素子の数とを１対１とした場合の、信号送信部から信号受信部へのデータ転送を説明する図である。図２０に示すように、信号送信部６１０は０または１のデジタル信号を送信する１２個の送信素子を備えており、信号受信部６０３は上記０または１のデジタル信号を受信する１２個の受信素子を備えている。
【００１９】
図２０（ａ）に示すように、全ての送信素子および受信素子が故障しておらず、正常な送受信素子であれば、１２個の信号からなる１２ビットのデータが信号送信部から信号受信部へと転送される。
【００２０】
しかしながら、図２０（ｂ）に示すように、送信素子または受信素子の一部（黒塗潰し箇所）に故障が生じた場合、信号送信部から信号受信部への正確なデータ転送をすることができなくなる。
【００２１】
ここで、一部の送受信素子が故障した場合、多数決方式により、正確なデータを転送することができる。図２１は、従来の多数決方式を用いたデータ転送方法を示す図である。
【００２２】
図２１に示すように、多数決方式を用いたデータ転送では、４０個の送信素子を有する信号送信部６１０を、例えば８個の送信素子を備える５個の各グループ６１０Ａ〜６１０Ｅに分割する。同様に、４０個の受信素子を有する信号受信部６０３を、８個の送信素子を備える５個の各グループ６０３Ａ〜６０３Ｅに分割する。
【００２３】
そして、各グループの送受信素子の間で同一の信号の送受信を試みる。すなわち、各グループ間で対応する位置にある送信素子からは同じ光信号が送信され、対向して設けられた受信素子が光信号を受信する。
【００２４】
そして、各グループ間で対応する位置にある受信素子が受信した５個の信号を集計し、受信素子が受信した最も多数の同一信号を正常な信号とする。すなわち、多数決をとる。
【００２５】
多数決方式を用いることで、転送されたデータの信憑性を高めることができる。すなわち、信号送信部６１０のグループ６１０Ａのうちの１個の送信素子が故障し、不良信号を送信したとしてもても、他のグループ６１０Ｂ〜６１０Ｅの送信素子が同じ正常信号を送信することで、不良信号よりも正常信号の個数の方が上回り、多数決により正常信号が送受信信号として採用される。これにより、信号送信部６１０から信号受信部６０３へと正確なデータ転送が行なわれる。
【先行技術文献】
【特許文献】
【００２６】
【特許文献１】特表２００６−５２２５０８号（２００６年９月２８日公表）
【発明の概要】
【発明が解決しようとする課題】
【００２７】
しかしながら、上述のような多数決方式のデータ転送方法には、以下のような問題を有している。
【００２８】
すなわち、故障素子の数をより多く想定すると、その分冗長の送受信素子を用意する必要がある。図２２は、グループ６１０Ａ・６１０Ｃ・６１０Ｄの対応する位置の送信素子が故障している信号送信部６１０と、信号受信部６０３とを用いた従来の多数決方式によるデータ転送を示す図である。
【００２９】
図２２に示す例では、正常な信号を送信する送信素子のグループはグループ６１０Ｂ・６１０Ｅの２個であるのに対し、異常な信号を送信する送信素子のグループはグループ６１０Ａ・６１０Ｃ・６１０Ｄの３個である。そのため、多数決の結果、異常信号の方が採用され不正確なデータが転送されてしまう。
【００３０】
多数決方式により、正確なデータ転送をするためには、故障した送信素子の数である３を上回る４個の正常な送信素子を必要とする。そのため、８個の送受信素子を有するグループが７個必要となり、合計５６個の送信素子および５６個の受信素子を必要とする。
【００３１】
同様に、故障素子の数を４個と想定した場合、言い換えると、故障素子の数を４個まで許容する設計の場合、合計７２個の送信素子および７２個の受信素子を必要とする。
【００３２】
故障素子となる送信素子または受信素子の位置はランダムであるため、送信部から受信部へのデータ転送を正確に行おうとすると、想定される故障素子の数に応じて必要な送受信素子の総数が莫大に増加する。
【００３３】
そのため、液晶表示装置の表示データの転送に多数決方式を採用した場合、必要な送受信素子の数が増大することによりコストが増大する、液晶表示装置が大型化してしまう、という問題がある。
【００３４】
また、製造工程において、送信素子も受信素子も故障素子となり得る。液晶モジュール組み立て後に１個ずつ検査を行い、検査不合格品は分解・検査・選別を行なった後、再び実装組み立てを行なう。しかしながら、このような液晶モジュールの製造方法では、製造コストと時間を要することとなる。
【００３５】
そこで本発明は、上記課題を解決するためになされたものであり、その目的は、送受信素子の一部が故障した場合であっても送受信素子を冗長することなく、故障していない正常な素子により正確なデータを転送することのできる表示モジュール及びデータ転送方法を提供することにある。
【課題を解決するための手段】
【００３６】
上記の課題を解決するために、本発明の表示モジュールは、外部から入力される表示データに基づいて、表示画像を制御するための電圧信号を生成する駆動回路を備える表示モジュールであって、上記表示データを光信号の形式で入力される信号受信部を備えており、上記信号受信部は、上記光信号を受信する複数の受信素子を備えており、上記信号受信部は、上記光信号に対応する信号値を上記駆動回路に入力し、上記駆動回路は、上記受信素子の配置に対する、上記信号値の配列に基づいて上記電圧信号を生成し、上記信号値の配列は、上記信号値の組合わせにより表される全ての配列のうちの、一部の配列として表されることを特徴とする。
【００３７】
上記の構成により、送受信素子の一部が故障した場合であっても送受信素子を冗長することなく、故障していない素子により正確なデータを転送することができる。
【００３８】
また、送受信素子の一部が故障した場合であっても、表示モジュールを不良品として廃棄する必要がなく、生産性を向上させることができる。
【００３９】
上記信号値の配列のそれぞれは、互いに巡回シフトさせた配列として表されることを特徴とする。
【００４０】
上記の構成により、送受信素子の一部が故障した場合であっても、互いに異なる信号値の配列を識別することができる。これにより、故障していない素子により正確なデータを転送することができる。
【００４１】
上記信号値の配列において、互いに同一な信号である第１信号の数は、上記第１信号とは異なる信号であって、互いに同一な信号である第２信号の数と等しくてもよい。
【００４２】
上記の構成により、各信号値の配列パターン（光信号パターン）における信号値の共通箇所が少なくなる。これにより、駆動回路は、多くの受信素子が故障素子であっても表示データを的確に識別することができる。
【００４３】
上記信号値の配列おいて、上記受信素子の配置に対して連続する互いに同一な信号の数は、１および素数からなる群より選択される数であってもよい。
【００４４】
上記の構成により、各信号値の配列パターン（光信号パターン）における信号値の共通箇所が少なくなる。これにより、駆動回路は、多くの受信素子が故障素子であっても表示データを的確に識別することができる。
【００４５】
上記選択される数は、互いに異なってもよい。
【００４６】
上記の構成により、各信号値の配列パターン（光信号パターン）における信号値の共通箇所が少なくなる。これにより、駆動回路は、多くの受信素子が故障素子であっても表示データを的確に識別することができる。
【００４７】
上記受信素子は複数のグループに分割され、上記駆動回路は、上記グループのそれぞれにおける上記信号値の配列に基づいて上記電圧信号を生成してもよい。
【００４８】
上記の構成により、各信号値の配列パターン（光信号パターン）を増大させることができる。これにより、信号受信部は、少ない受信素子の数で、より多くの表示データを入力されることができる。
【００４９】
上記光信号はデジタル信号であってもよい。
【００５０】
上記受信素子に対向して設けられ、上記受信素子に対して上記光信号を送信する送信素子と、上記受信素子との間において、検査信号の送受信を試みることで、上記光信号を正常に送受信することができない故障素子を検出する故障素子位置検出部を有しており、上記駆動回路は、上記受信素子のうち、上記故障素子に含まれない受信素子が受信する光信号に対応する信号値の配列に基づいて、上記電圧信号を生成してもよい。
【００５１】
上記の構成により、故障素子を除いた正常な受信素子により光信号を受信することができる。これにより、信号受信部は、より正確に表示データを入力されることができる。
【００５２】
上記駆動回路は、上記受信素子が上記光信号を読み取るタイミングを制御するタイミング信号を出力してもよい。
【００５３】
上記の構成により、信号受信部は、より確実に光信号を読み取ることができる。
【００５４】
上記信号受信部は、上記駆動回路に配されていてもよい。
【００５５】
上記受信素子は、フォトトランジスタであってもよい。
【００５６】
外部から非接触で電力を受け取るための電力受信部をさらに備えていてもよい。
【００５７】
上記の構成により、さらに配線を省略することができる。
【００５８】
また、上記の課題を解決するために、本発明のデータ転送方法は、光信号を送信する複数の送信素子を備える信号送信部から、上記光信号を受信する複数の受信素子を備える信号受信部へデータを転送するデータ転送方法であって、上記信号受信部は、上記光信号に対応する信号値に変換し、上記データは、上記受信素子の配置に対する上記信号値の配列に基づいており、上記信号値の配列は、上記信号値の組合わせにより表される全ての配列のうちの、一部の配列として表されることを特徴とする。
【００５９】
上記の構成により、送受信素子の一部が故障した場合であっても送受信素子を冗長することなく、故障していない素子により正確なデータを転送することができる。
【００６０】
上記信号値の配列のそれぞれは、互いに巡回シフトさせた配列として表されることを特徴とする。
【００６１】
上記の構成により、送受信素子の一部が故障した場合であっても、互いに異なる信号値の配列を識別することができる。これにより、故障していない素子により正確なデータを転送することができる。
【００６２】
上記信号値の配列において、互いに同一な信号である第１信号の数は、上記第１信号とは異なる信号であって、互いに同一な信号である第２信号の数と等しくてもよい。
【００６３】
上記の構成により、各信号値の配列パターン（光信号パターン）における信号値の共通箇所が少なくなる。これにより、多くの受信素子が故障素子であってもデータを転送することができる。
【００６４】
上記信号値の配列において、上記受信素子の配置に対して連続する互いに同一な信号の数は、１および素数からなる群より選択される数であってもよい。
【００６５】
上記の構成により、各信号値の配列パターン（光信号パターン）における信号値の共通箇所が少なくなる。これにより、多くの受信素子が故障素子であってもデータを転送することができる。
【００６６】
上記選択される数は、互いに異なってもよい。
【００６７】
上記の構成により、各信号値の配列パターン（光信号パターン）における信号値の共通箇所が少なくなる。これにより、駆動回路は、多くの受信素子が故障素子であっても表示データを的確に識別することができる。
【００６８】
上記受信素子を複数のグループに分割し、上記データは、上記グループのそれぞれにおける上記信号値の配列に基づいていてもよい。
【００６９】
上記の構成により、各信号値の配列パターン（光信号パターン）を増大させることができる。これにより、信号受信部は、少ない受信素子の数で、より多くのデータを転送することができる。
【００７０】
上記光信号はデジタル信号であってもよい。
【００７１】
上記送信素子と、上記受信素子との間において、検査信号の送受信を試みることで、上記光信号を正常に送受信することができない故障素子を検出し、上記データは、上記受信素子のうち、上記故障素子に含まれない受信素子が受信する光信号に対応する信号値の配列に基づいていてもよい。
【００７２】
上記の構成により、故障素子を除いた正常な受信素子により光信号を受信することができる。これにより、より正確にデータを転送することができる。
【００７３】
上記信号受信部に上記光信号を読み取るタイミングを制御するタイミング信号を入力してもよい。
【００７４】
上記の構成により、信号受信部は、より確実に光信号を読み取ることができる。
【００７５】
上記信号受信部は、上記信号送信部が備える送信素子の数よりも多い数の受信素子を備えており、
上記１つの送信素子が送信する上記１つの光信号を、複数の受信素子が受信してもよい。
【００７６】
上記の構成により、信号受信部に対する信号送信部の位置が、送信素子から受信素子へ光信号を送受信するために最適な位置でなくとも、正確に光信号を送受信することができる。
【００７７】
上記受信素子はフォトトランジスタであって、上記送信素子はフォトダイオードであってもよい。
【発明の効果】
【００７８】
本発明の表示モジュールは、以上のように、上記表示データを光信号の形式で入力される信号受信部を備えており、上記信号受信部は、上記光信号を受信する複数の受信素子を備えており、上記信号受信部は、上記光信号に対応する信号値を上記駆動回路に入力し、
上記駆動回路は、上記受信素子の配置に対する、上記信号値の配列に基づいて上記電圧信号を生成し、上記信号値の配列は、上記信号値の組合わせにより表される全ての配列のうちの、一部の配列として表されるものである。
【００７９】
また、本発明のデータ転送方法は、以上のように、上記データは、光信号を送信する複数の送信素子を備える信号送信部から、上記光信号を受信する複数の受信素子を備える信号受信部へデータを転送するデータ転送方法であって、上記信号受信部は、上記光信号に対応する信号値に変換し、上記データは、上記受信素子の配置に対する上記信号値の配列に基づいており、上記信号値の配列は、上記信号値の組合わせにより表される全ての配列のうちの、一部の配列として表されるものである。
【００８０】
そのため、送受信素子の一部が故障した場合であっても送受信素子を冗長することなく、故障していない正常な素子により正確なデータを転送することのできる表示モジュール及びデータ転送方法を提供することができる。
【図面の簡単な説明】
【００８１】
【図１】本発明の一実施形態の液晶モジュールの平面図である。
【図２】本発明の一実施形態の液晶モジュールの一部の断面図である。
【図３】本発明の一実施例のデータ転送方法を示す図であり、（ａ）は信号送信部から信号受信部へのデータ転送における送受信素子の対応を示す図であり、（ｂ）は各光信号パターンにおける信号値配列を示す図であり、（ｃ）は光信号パターン１と他の光信号パターンとの、各送受信素子間で送受信される光信号の信号値の相違を示す図である。
【図４】本発明の一実施例の多対多転送方法による光信号パターンを示す図である。
【図５】１対１転送方法と多対多転送方法とのそれぞれにおける、４ビットデータを転送するために必要な送受信素子数を示す図である。
【図６】１対１転送方法と多対多転送方法とのそれぞれにおける、８ビット以上のデータを転送するために必要な送受信素子数を示す図である。
【図７】本発明の故障素子位置検出工程を示す流れ図である。
【図８】故障素子位置検出工程における送信素子の出力を示すタイミングチャートである。
【図９】素子番号５と１２の送受信素子が故障素子であることを伝達する場合の受信素子の出力を示すタイミングチャートである。
【図１０】使用素子変更前後における使用素子の番号を示す図である。
【図１１】本実施例のデータ転送の動作を示すタイミングチャートである。
【図１２】受信素子と送信素子との対応関係を示す図であり、（ａ）は、信号送信部と信号受信部の相対的な位置関係が好ましい場合を示し、（ｂ）は、信号送信部と信号受信部の相対的な位置関係が好ましくない場合を示す。
【図１３】本発明の他の実施形態の液晶モジュールの平面図である。
【図１４】本発明の他の実施形態の液晶モジュールの一部の断面図である。
【図１５】ＦＰＣを用いたデータ転送を行なう従来の液晶モジュールの平面図である。
【図１６】ＦＰＣを用いたデータ転送を行なう従来の液晶モジュールの一部の断面図である。
【図１７】光信号を用いたデータ転送を行なう液晶モジュールの一部の断面図である。
【図１８】従来の光通信システムにおける非線形効果の電気的領域補償の方法を示すブロック図である。
【図１９】フォトダイオードとフォトトランジスタの対のうち１つが故障した場合のデータ転送を示す図である。
【図２０】送受信素子によるデータ転送を示す図であり、（ａ）は、送信素子と受信素子とが故障していない場合を示し、（ｂ）は、１つの送信素子と１つの受信素子とが故障している場合を示す。
【図２１】従来の多数決方式を用いた１対１転送方法の概略を示す図である。
【図２２】３つの送信素子が故障している場合の、従来の多数決方式を用いた１対１転送方法の概略を示す図である。
【発明を実施するための形態】
【００８２】
以下、本発明の実施の形態について詳細に説明する。なお、以下の説明では、表示モジュールとして液晶モジュールを例に説明するが、これに限らず、有機ＥＬモジュール等の他の表示モジュールにも適用することができる。
【００８３】
〔実施の形態１〕
本発明の表示装置に関する実施の一形態について図１〜図１２に基づいて説明すれば以下のとおりである。
【００８４】
図１は本発明の液晶モジュール１００の背面の平面図である。図１に示すように、本発明の液晶モジュール１００の背面には、駆動用ＩＣ（駆動回路）１と、電力受信部２と、信号受信部３とが設けられている。液晶パネル５は、主にＲ・Ｇ・Ｂからなる表示用の絵素の集合体で、液晶層への印加電圧の大きさに応じて表示輝度を変える。
【００８５】
駆動用ＩＣ１は、電力受信部２および信号受信部３と接続されており、電力受信部２および信号受信部３を介して外部から電力と表示データとを受け取る。また、駆動用ＩＣ１は、液晶表示画素エリア４と接続されており、液晶パネル５のＲＧＢサブピクセルに印加する電圧の輝度階調値（電圧信号）をシーケンス（順序）で生成する。これにより駆動用ＩＣ１は、表示パネルに表示される表示画像を制御する。
【００８６】
液晶モジュール１００のその他の詳細な構成は従来と同様であるため、ここでは説明を省略する。
【００８７】
図２は、本発明の液晶モジュール１００の一部の断面図である。ガラス９の上面に導電層６が設けられており、導電層６の上面に電力受信部２と信号受信部３とが設けられている。さらに、導電層６の上面には、異方性導電材８を介して駆動用ＩＣ１が設けられている。また、導電層６のうち、電力受信部２、信号受信部３、および異方性導電材８で覆われていない部分には、絶縁層７が設けられている。
【００８８】
＜電力受信部・信号受信部＞
本発明の液晶モジュール１００の電力受信部２は、外部の送信側基板１０に設けられた電力送信部１２から、非接触で電力を受け取る。また、信号受信部３は、外部の送信側基板１０に設けられた信号送信部１３から、光信号の形式で表示データ（信号）を受け取る。
【００８９】
信号送信部１３には複数の受信素子（図示しない）が設けられており、信号送信部１３には複数の送信素子（図示しない）が、受信素子に対向するように設けられている。受信素子は、送信素子から送信される光信号を受信し、信号受信部３は、受信素子が受信した光信号に対応した信号値を読み取る。これにより、信号送信部１３から信号受信部３に表示データが転送される。そして、信号受信部３は、上記信号値に基づいたデータを駆動用ＩＣ１に入力する。
【００９０】
送信素子として、例えばフォトダイオードを用いることができ、受信素子としてフォトトランジスタまたはＣＣＤを用いることができる。
【００９１】
＜データ転送方法＞
本発明のデータ転送方法は、送信素子と受信素子との間で送受信される光信号に対応する信号値の配列に基づく。送信素子と受信素子との間で送受信される光信号の信号値は０または１であってもよい。すなわち、光信号はデジタル信号であってもよい。以下の説明では、光信号はデジタル信号であるものとする。
【００９２】
従来の光通信によるデータ転送方法は、１個の送信素子が送信する光信号を１個の受信素子が受信することにより、送信側から受信側へと０または１の情報を転送するものであり、Ｎ個の送受信素子によりＮビットのデータを転送するものである。
【００９３】
ここで、送受信素子とは、送信素子と、該送信素子が送信する光信号を受信する受信素子とからなる一対の素子のことをいうものとする。
【００９４】
これに対し、本発明のデータ転送方法は、Ｎ個の送受信素子により、Ｎビット以下であるＭ種類のデータを転送するものである。
【００９５】
従来のデータ転送方法では、１個の送信素子が故障すると、故障した送信素子が送信する信号は異常信号となり、全体として正常なデータの転送ができなくなる。送信素子の一部が故障しても正常なデータを転送するためには、多くの素子や配線を冗長する必要がある。
【００９６】
これに対し本発明のデータ転送方法によれば、一部の素子が故障した場合であっても、他の故障していない素子により、送受信すべき光信号を識別し、正常なデータ転送をすることができる。これにより、正常に光信号を送信できない送信素子または正常に光信号を受信できない受信素子を含む一対の送受信素子（故障素子、エラー素子、不良素子、欠陥素子）が存在しても、良品として用いることができ、分解工程コスト、検査工程コスト、実装コスト等を削減することができる。
【００９７】
以下、本発明のデータ転送方法を多対多転送方法とし、従来のデータ転送方法を１対１転送方法として説明する。
【００９８】
＜多対多転送方法＞
〔実施例１〕
多対多転送方法の例を、図３に基づき、１対１転送方法と対比させて説明する。図３は、本実施例のデータ転送方法を示す図であり、（ａ）は信号送信部から信号受信部へのデータ転送における送受信素子の対応を示す図であり、（ｂ）は各光信号パターンにおける信号値配列を示す図であり、（ｃ）は光信号パターン１と他の光信号パターンとの、各送受信素子間で送受信される光信号の信号値の相違を示す図である。
【００９９】
図中、素子番号とは、便宜上１対の送受信素子に任意の順に付された番号であり、送受信素子の配置箇所を限定する趣旨で付された番号ではない。また、例えば、図３（ａ）の送信素子１３ａと受信素子３ｇとからなる一対の送受信素子が、図３（ｂ）の素子番号１の送受信素子に対応する。
【０１００】
図３（ａ）に示すように、６個の送信素子１３ａ〜１３ｆを有する信号送信部１３から、６個の受信素子３ｇ〜３ｌを有する信号受信部３へ、６個の信号値の配列からなるデータを転送する。
【０１０１】
図３（ａ）に示す例では、信号送信部の送信素子１３ａ・１３ｃ・１３ｄからそれぞれ１の信号値を示す光信号が、送信素子１３ｂ・１３ｅ・１３ｆからそれぞれ０の信号値を示す光信号が信号受信部の受信素子３ｇ〜３ｌへと送信される。この信号値の配列を、光信号パターン１の信号値配列とする。すなわち、光信号パターン１の信号値配列は、素子番号の順にいうと、（１，０，１，１，０，０）となる。
【０１０２】
また、光信号パターン２の信号値配列は、素子番号の順にいうと、（０，１，０，１，１，０）となる。このように、光信号パターン２は、光信号パターン１において各素子番号の送受信素子が送受信する光信号を、番号が１つ大きい素子番号の各送受信素子により送受信するパターンである。
【０１０３】
言い換えると、光信号パターン１において素子番号Ｋ番の送受信素子により送受信される光信号は、光信号パターン２においては素子番号（Ｋ＋１）番の送受信素子により送受信される。
【０１０４】
なお、光信号パターン１において素子番号６の送受信素子が送受信する光信号は、光信号パターン２においては素子番号１の送受信素子により送受信される。同様にして、素子番号と、当該素子番号の送受信素子が送受信する光信号の信号値とをシフトしていくと（ずらしていくと）、光信号パターンは１〜６の６種類存在する。
【０１０５】
上記６種類の光信号パターンは、６個の送受信素子により送受信される光信号に対応する信号値配列の、６４通りの組合わせにより表される全ての配列のうちの、一部の配列で表される。
【０１０６】
また、本実施例の場合には、上記光信号パターン１〜６の信号値配列は、互いに巡回シフトさせた配列であるということができる。
【０１０７】
本実施例の光信号パターンは、信号値の配列が、（１，０，１，１，０，０）で表されるように、受信素子の配置に対して連続する互いに同一な信号の数が、１個（１の信号）、１個（０の信号）、２個（１の信号）、２個（０の信号）となる。このような信号値の配列から派生する６種類の光信号パターンをまとめて、１−１−２−２の通信パターンということとする。
【０１０８】
従来の１対１転送方法によれば、６個の送受信素子により６ビット（６４種類）のデータを転送することができるが、例えば信号送信部の送信素子１３ａが故障すると、信号受信部の受信素子３ｇへ光信号を送信できなくなる。その結果、光信号が１つ欠落し、信号送信部から信号受信部へのデータの転送ができなくなる。
【０１０９】
多対多転送方法によれば、６個の送受信素子を用いた場合、光信号パターンは１〜６の６種類存在するため、信号送信部から信号受信部へ６種類のデータを転送することができる。また、６個の送受信素子による６４通りの組合わせの配列のうちの、一部の配列を用いてデータ転送を行なうため、一部の送受信素子が故障しても、異なる配列を識別することができる。そのため、データの転送を行なうことができる。
【０１１０】
図３（ｃ）において、光信号パターン１の光信号と比較して、同一の信号である箇所はマル印で示し、異なる信号である箇所はバツ印で示す。
【０１１１】
例えば、光信号パターン１の信号値配列は、素子番号順に（１，０，１，１，０，０）であり、光信号パターン２の信号値配列は、素子番号順に（０，１，０，１，１，０）である。両光信号パターンの信号値配列を素子番号ごとに観察すると、４個の送受信素子（素子番号１，２，３，５）で送受信する光信号が相違し、２個の送受信素子（素子番号４，６）で送受信する光信号が同一である。
【０１１２】
そのため、仮に素子番号１，２，３の送受信素子が故障したとしても、素子番号５の送受信素子が送受信する信号に基づいて光信号パターン１と光信号パターン２とを識別することができ、両者は異なるデータであると判断することができる。
【０１１３】
光信号パターン１との間で、最も信号値の相違が少ない光信号パターンが、光信号パターン４であり、２個の送受信素子（素子番号３，６）で送受信する光信号の信号値が相違する。すなわち、仮に素子番号３の送受信素子が故障したとしても、素子番号６の送受信素子が送受信する光信号に基づいて光信号パターン１と光信号パターン４とを識別することができる。
【０１１４】
以上のように、光信号パターン１を基準として、その他の光信号パターンとの相違を検証したが、他の光信号パターンを基準として検証しても、最も信号値の相違が少ない光信号パターンの組合せでは、２個の素子で送受信する光信号の信号値が相違する。
【０１１５】
その理由は、各光信号パターンの信号値配列は巡回群を形成しているからである。例えば、光信号パターン２と光信号パターン５とを比較すると、光信号パターン１と光信号パターン４とで比較した場合と同様に、２個の素子で送受信する光信号の信号値が相違する。
【０１１６】
以上のように、送受信素子の間で送受信される光信号の集合として、巡回群の情報でデータ転送することで、どの送受信素子が故障するかに拘らず１個の送受信素子が故障したとしても、各光信号パターンを識別することがでる。すなわち、データを正確に転送することができる。
【０１１７】
これにより、１個の故障素子が存在していても問題なく使用でき、分割工程コストと検査コストと実装コストとを低減することが可能となる。
【０１１８】
〔実施例２〕
他の多対多転送方法の例を、図４に基づき、１対１転送方法と対比させて説明する。本実施例では、実施例１に比べて大きいデータを転送する場合について説明する。すなわち、２２種類（２２パターン）のデータを転送する必要がある場合の多対多転送方法について説明する。このデータ転送方法によれば、４ビット（１６種類）のデータに相当するデータを転送することができる。
【０１１９】
図４は、本実施例の多対多転送方法による光信号パターンを示す図である。図中、０の信号の箇所は省略し、空欄としている。本実施例の通信パターンは１−１−２−２−３−３−５−５パターンである。２２個の送受信素子を必要とする。
【０１２０】
この場合、光信号パターン１との間で、最も信号値の相違が少ない組合せは、光信号パターン２（または光信号パターン２２）であり、８個の送受信素子（素子番号１，２，３，５，７，１０，１３，１８）で送受信する光信号の信号値が相違する。
【０１２１】
また、他の光信号パターンを基準として検証しても、最も信号値の相違が少ない光信号パターンの組合せでは、８個の送受信素子で送受信する光信号の信号値が相違する。
【０１２２】
すなわち、仮に７個の送受信素子が故障したとしても、他の送受信素子が送受信する光信号に基づいて光信号パターンを識別することができ、データを正確に転送することができる。言い換えると、送受信素子の故障を７個まで許容することができる。
【０１２３】
図５は、故障素子数（故障した送受信素子の数）と４ビットデータを転送するのに必要な送受信素子数とを、多対多転送方法と従来の１対１転送方法とについて示す図である。
【０１２４】
多対多転送方法では、上述したように、２２パターンのデータを転送する場合、故障素子を７個まで許容することができる。
【０１２５】
一方、１対１転送方法では、故障素子が生じる場合にデータを転送するために、多数決方式を採用する。この場合、例えば故障素子を３個生じた場合、正常なデータを４個必要とするため、合計７組のパターンが必要となる。４ビットのデータを転送するためには、２８個（７×４）の送受信素子を必要とする。さらに故障素子の数が増えると、その分必要な送受信素子の数も増大する。
【０１２６】
図５に示すように、４ビットのデータを転送するために必要な送受信素子数は、故障素子数が３個以上の場合、多対多転送方法を用いた方が必要な送受信素子数が少ないため有利である。
【０１２７】
また、他の通信パターンの例として、１−１−２−２−３−３−５−５−１１−１１通信パターンを用いてもよい。上記通信パターンは、故障素子を９個まで許容し、４４種類のデータを転送することができる。
【０１２８】
通信パターンとしては、信号値配列において、０の信号（第１信号）の総数と１の信号（第２信号）の総数が等しいことが好ましい。
【０１２９】
また、受信素子の配置に対して連続する互いに同一な信号の数は、１および素数からなる群より選択される数であることが好ましい。
【０１３０】
さらに、信号値配列において、受信素子の配置に対して連続する互いに同一な信号の数はそれぞれ異なっていることが好ましい。すなわち、信号の空間周波数が異なる、ということができる。
【０１３１】
これにより、信号値配列を巡回シフトしたときに、光信号パターン同士で共通する信号が少なくなり、故障素子を生じたとしても各光信号パターンを識別し易くなる。
【０１３２】
〔実施例３〕
他の多対多転送方法の例について説明する。実施例２では、多対多転送方法により、故障素子を７個まで許容し、２２個の送受信素子を用いて２２パターンのデータを転送することができることを説明した。
【０１３３】
また実施例１および実施例２では、信号送信部が備える全ての送信素子と、信号受信部が備える全ての受信素子を用いてデータ転送を行なう例について説明した。
【０１３４】
以下に説明するように、本発明のデータ転送方法は、信号送信部が備える送信素子を複数のグループに分け、また信号受信部が備える受信素子を複数のグループに分け、各グループで個別に多対多転送方法を適用することができる。
【０１３５】
例えば、４４個の送受信素子を、２２個の送受信素子からなる第１グループと、他の２２個の送受信素からなる第２グループとに分ける。２２個の送受信素子によれば、実施例２で説明したように、１−１−２−２−３−３−５−５通信パターンのデータ転送をすることにより、故障素子を７個まで許容して２２パターンのデータを転送することができる。
【０１３６】
２２個の送受信素子のグループが２つあるため、組み合わせにより４８４パターン（２２×２２）のデータを転送することができる。このような通信パターンを（１−１−２−２−３−３−５−５）×（１−１−２−２−３−３−５−５）通信パターンということとする。
【０１３７】
このように、送受信素子を複数のグループに分け、各グループ内で多対多転送を行うことで、グループ間での組み合わせによりデータ転送のパターンの増加を図ることができる。すなわち、より大きなデータを転送することができる。
【０１３８】
図６は、故障素子数（故障した送受信素子）の数と８ビット以上のデータを転送するのに必要な送受信素子数とを、多対多転送方法と従来の１対１転送方法とについて示す図である。
【０１３９】
図中、通信パターンＡは、１−１−２−２−３−３−５−５−７−７−１１−１１−１３−１３−１７−１７−１９−１９−２３−２３−２９−２９通信パターンである。
【０１４０】
通信パターンＢは、（１−１−２−２−３−３）×（１−１−２−２−３−３−５−５）通信パターンである。
【０１４１】
通信パターンＣは、（１−１−２−２−３−３−５−５）×（１−１−２−２−３−３−５−５）通信パターンである。
【０１４２】
通信パターンＤは、（１−１−２−２−３−３−５−５−７−７）×（１−１−２−２−３−３−５−５−７−７）通信パターンである。
【０１４３】
通信パターンＥは、（１−１−２−２−３−３−５−５−７−７−１１−１１）×（１−１−２−２−３−３−５−５−７−７−１１−１１）通信パターンである。
【０１４４】
通信パターンＦは、（１−１−２−２−３−３−５−５−７−７−１１−１１−１３−１３）×（１−１−２−２−３−３−５−５−７−７−１１−１１−１３−１３）通信パターンである。
【０１４５】
通信パターンＧは、（１−１−２−２−３−３−５−５−７−７−１１−１１−１３−１３−１７−１７）×（１−１−２−２−３−３−５−５−７−７−１１−１１−１３−１３−１７−１７）通信パターンである。
【０１４６】
通信パターンＨは、（１−１−２−２−３−３−５−５−７−７−１１−１１−１３−１３−１７−１７−１９−１９）×（１−１−２−２−３−３−５−５−７−７−１１−１１−１３−１３−１７−１７−１９−１９）通信パターンである。
【０１４７】
通信パターンＡは、２６０個の送受信素子を用いて２６０パターンのデータ転送が可能であり、故障素子を２１個まで許容する。
【０１４８】
通信パターンＢは、３４個の送受信素子を用いて２６４パターンのデータ転送が可能であり、故障素子を３個まで許容する。
【０１４９】
通信パターンＣは、４４個の送受信素子を用いて４８４パターンのデータ転送が可能であり、故障素子を７個まで許容する。
【０１５０】
通信パターンＤは、７２個の送受信素子を用いて１２９６パターンのデータ転送が可能であり、故障素子を９個まで許容する。
【０１５１】
通信パターンＥは、１１６個の送受信素子を用いて３３６４パターンのデータ転送が可能であり、故障素子を１１個まで許容する。
【０１５２】
通信パターンＦは、１６８個の送受信素子を用いて７０５６パターンのデータ転送が可能であり、故障素子を１３個まで許容する。
【０１５３】
通信パターンＧは、２３６個の送受信素子を用いて１３９２４パターンのデータ転送が可能であり、故障素子を１５個まで許容する。
【０１５４】
通信パターンＨは、３１２個の送受信素子を用いて２４３３６パターンのデータ転送が可能であり、故障素子を１７個まで許容する。
【０１５５】
従来の１対１転送方法によれば、例えば故障素子を１０個まで許容しつつ８ビット（２５６パターン）のデータを送信するためには、１６８個の送受信素子を要する。これに対し、通信パターンＥの多対多転送方法によれば、故障素子を１１個まで許容しつつ３３６４パターンのデータを送信するために、１１６個の送受信素子で足りる。
【０１５６】
図６からもわかるように、故障素子の数に応じて、ほとんどの条件において、従来の１対１転送方法よりも本発明の多対多転送方法の方が、少ない送受信素子数で目的とする容量のデータを転送することができる。
【０１５７】
特に、故障素子が多く発生する場合には、多対多転送方法を採用することで、送信側で故障素子の位置を把握できなくとも、また送受信素子を冗長させなくとも正確にデータを転送することができる。これにより、故障素子が多く発生しても、液晶モジュールを不良品とすることなく良品製品とすることができる。
【０１５８】
〔実施例４〕
本発明の他の実施例について、図７〜図１０に基づいて説明する。本実施例では、多対多転送に加え、故障素子位置検出を行うことを特徴とする。故障素子位置検出工程は、液晶モジュールに備えられた故障素子位置検出部と、液晶モジュール外部の制御部とにより実行される。故障素子位置検出部は、駆動用ＩＣに設けられていてもよい。
【０１５９】
実施例１〜３で説明した多対多転送方法に加え、故障素子位置をあらかじめ検知することで、さらに確実性を向上させたデータ転送をすることができる。
【０１６０】
図７は、故障素子位置検出工程を示す流れ図である。図８は、故障素子位置検出工程における送信素子の出力を示すタイミングチャートである。本実施例では、０（ＯＦＦ）または１（ＯＮ）の信号を送信する１２個の送信素子を有する信号送信部から、１２個の受信素子を有する信号受信部へ、８個の送受信素子を用いてデータを転送する場合について、送信素子に１〜１２の番号を付し、各送信素子に対応する受信素子にも１〜１２の番号を付して説明する。
【０１６１】
本発明の故障素子位置検出工程では第１に、外部の制御部により、素子番号１〜１２の送信素子の信号をＯＮにする（Ｓ１）。図８に示すように、素子番号１〜１２の送信素子の信号を同時にＯＮとする。これにより、故障素子位置検出工程を開始したことを、受信素子を介して故障素子位置検出部へ伝達する。
【０１６２】
第２に、外部の制御部により、送信素子のうち奇数番号を付された送信素子と偶数番号を付された送信素子とを、交互にＯＮとする（Ｓ２）。例えば、図８に示すように、奇数番号の付された送信素子をＯＮとし、その後偶数番号を付された送信素子をＯＮとしてもよい。これにより、故障素子位置検出工程の開始を確認する。
【０１６３】
第３に、素子番号１〜１２の送信素子を、あらかじめ故障素子位置検出部と外部の制御部との間で決められた順番（シーケンス）の約束（プロトコル）で、個別にＯＮとする（Ｓ３）。すなわち、送信素と受信素子との間で検査信号の送受信を試みる。例えば、図８に示すように、素子番号１〜１２の送信素子を順にＯＮとしてもよい。
【０１６４】
故障素子位置検出部は、検査信号を受信することができない受信素子または対応する送信素子は故障していると判断する。
【０１６５】
第４に、外部の制御部により、素子番号１〜１２の送信素子の信号をＯＮにする（Ｓ４）。図８に示すように、素子番号１〜１２の送信素子の信号を同時にＯＮとする。これにより、故障素子位置検出工程の終了を、受信素子を介して故障素子位置検出部へ伝達する。
【０１６６】
第５に、故障素子位置検出部から外部の制御部へ、故障素子の番号を伝達する（Ｓ５）。図９は、素子番号５と１２の送受信素子が故障素子であることを伝達する場合の受信素子の出力を示すタイミングチャートである。
【０１６７】
第６に、使用素子を変更する（Ｓ６）。図１０は、変更前後の使用素子の番号を示す図である。このように、故障素子と判断された素子番号５の送信素子および受信素子は使用せず、変わりに予備の素子であった素子番号９の送信素子および受信素子を使用する。
【０１６８】
以上のように、使用素子を変更し、故障素子以外の正常な送受信素子のみを使用して実施例１〜３のデータ転送をすることで、データ転送の確実性を向上させることができる。
【０１６９】
〔実施例５〕
本発明の他の実施例について、図１１に基づいて説明する。図１１は、本実施例のデータ転送の動作を示すタイミングチャートである。本実施例のデータ転送方法は、信号受信部へ読み取りのタイミングを制御するタイミング信号を入力し、受信素子による光信号読み取りのタイミングを制御するものである。上記タイミング信号は、駆動用ＩＣから出力され信号受信部へ入力されてもよい。
【０１７０】
図１１に示すように、送信素子から信号が送信される期間のうち一部の期間に、信号とともに送信クロックが送信される。受信素子は、送信素子から送信クロックが送信されるタイミングで信号を読み取る。これにより、データ転送の確実性（安全性）が増す。
【０１７１】
〔実施例６〕
本発明の他の実施例について、図１２に基づいて説明する。上述した実施例では、１個の送信素子から送信された信号を１個の受信素子が受信することとして説明したがこれに限ることはない。本実施例では、信号送信部１３に設けられた１個の送信素子１３３に対して、９個の受信素子３３が信号受信部３に設けられている。すなわち、本実施例のデータ転送方法は、１個の送信素子１３３から送信された信号を、９個の受信素子３３により受信するものである。
【０１７２】
図１２は、受信素子と送信素子との対応関係を示す図であり、（ａ）は、信号送信部と信号受信部の相対的な位置関係が好ましい場合を示し、（ｂ）は、信号送信部と信号受信部の相対的な位置関係が好ましくない場合を示す。
【０１７３】
図１２（ａ）に示すように、波線で囲まれた送信素子１３３が送信する光信号を、波線で囲まれた９個の受信素子３３が受信するものとする。
【０１７４】
このように、１個の送信素子１３３に対して複数の受信素子３３を対応させることで、例えば図１２（ｂ）に示すように、信号送信部１３に対する信号受信部３の位置が変動し、送信素子１３３に対する受信素子３３の位置が信号の送受信に最適な位置関係でなくなったとしても、複数の受信素子３３のうち一部の受信素子３３は、送信素子１３３からの信号を受信することができる。
【０１７５】
これにより、信号受信部１３に対する信号送信部１３３の位置が、送信素子から受信素子へ光信号を送受信するために最適な位置でなくとも、正確に光信号を送受信することができ、正確なデータ転送をすることができる。
【０１７６】
また、例として、１個の送信素子１３３に対して９個の受信素子３３が対応する場合を示したが、この他にも、１個の送信素子１３３に対して２５個の受信素子３３が対応するものとしてもよい。
【０１７７】
〔実施の形態２〕
本発明の液晶モジュールの他の形態について、図１３〜１４に基づいて説明すれば以下の通りである。なお、本実施の形態では、主に、実施の形態１との相違点について説明するものとする。
【０１７８】
図１３は本発明の液晶モジュール２００の背面の平面図である。図１３に示すように、液晶モジュール２００の背面には、駆動用ＩＣ（駆動回路）２０１が配置されている。駆動用ＩＣ２０１は、電力受信部および信号受信部を備えており、電力受信部および信号受信部を介して外部から電力と表示データとを受け取る。
【０１７９】
図１４は、本発明の液晶モジュール２００の一部の断面図である。ガラス２０９の上面に導電層２０６が設けられており、導電層２０６の上部に駆動用ＩＣ２０１が設けられている。さらに、駆動用ＩＣ２０１の上部には、電力受信部２０２と信号受信部２０３とが設けられている。また、導電層２０６のうち、異方性導電材２０８で覆われていない部分には、絶縁層２０７が設けられている。
【０１８０】
このように、駆動用ＩＣ２０１の上部に電力受信部２０２と信号受信部２０３とを設けることで、駆動用ＩＣ２０１と、電力受信部２０２および信号受信部２０３とを直接接続することができる。そのため、実施の形態１の液晶モジュールに比べ、配線を省略することができる。
【０１８１】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【０１８２】
本発明は、液晶モジュール及びデータ転送方法に利用することができる。
【符号の説明】
【０１８３】
２、２０２      電力受信部
３、２０３      信号受信部
１２            電力送信部
１３            信号送信部
３３            受信素子
１３３          送信素子
１００、２００  液晶モジュール
【図１】
2013222988.tif 000003
【図２】
2013222988.tif 000004
【図３】
2013222988.tif 000005
【図４】
2013222988.tif 000006
【図５】
2013222988.tif 000007
【図６】
2013222988.tif 000008
【図７】
2013222988.tif 000009
【図８】
2013222988.tif 000010
【図９】
2013222988.tif 000011
【図１０】
2013222988.tif 000012
【図１１】
2013222988.tif 000013
【図１２】
2013222988.tif 000014
【図１３】
2013222988.tif 000015
【図１４】
2013222988.tif 000016
【図１５】
2013222988.tif 000017
【図１６】
2013222988.tif 000018
【図１７】
2013222988.tif 000019
【図１８】
2013222988.tif 000020
【図１９】
2013222988.tif 000021
【図２０】
2013222988.tif 000022
【図２１】
2013222988.tif 000023
【図２２】
2013222988.tif 000024